(57)【特許請求の範囲】
【請求項１】
合成樹脂シートが熱成形されてなる包装用容器であり、収納部を有する容器本体と、これに嵌合されて開閉自在な蓋体とを備えた包装用容器であって、
前記容器本体は、底面部と、この底面部の外周から立ち上がる側壁部と、この側壁部の上端から外方へと延びるフランジ部とを備え、
前記蓋体は透明であって、天面部と、この天面部の外周から垂下する側壁部と、この側壁部の下端から外方に延びるフランジ部とを備え、
前記容器本体のフランジ部における上面部のうち、閉蓋状態で前記蓋体のフランジ部が当接する部分よりも外側の部分には、平面が直線で区画された高低差を有する複数の平面が集合した連続面を備えた凹凸部が設けられ、前記連続面における隣り合う平面のうち、一方側と他方側とが異なる傾斜を有することを特徴とする包装用容器。
【請求項２】
前記容器本体のフランジ部には、前記上面部の外周から垂下する垂下部が設けられ、
前記垂下部には、容器の内外方向に出退する複数の平面が集合した連続面を備えた凹凸部が設けられたことを特徴とする請求項１に記載の包装用容器。
【請求項３】
前記容器本体が平面視にて多角形状であり、前記容器本体におけるコーナー部の少なくとも一つに位置するフランジ部に、前記容器本体の外方向に向かい傾斜する傾斜面部が設けられ、
前記蓋体は、閉蓋状態で前記傾斜面部に一致する位置に、開蓋する際に摘むことのできる摘み部が設けられたことを特徴とする請求項１または２に記載の包装用容器。
【発明の詳細な説明】
【技術分野】
【０００１】
本発明は、惣菜などの調理食品を収納するのに適した包装用容器に関する。
【背景技術】
【０００２】
デパートやスーパーマーケットなどにおいては、カット野菜やカットフルーツや惣菜類などの食品類を収納するプラスチック製の包装用容器が使用されており、当該包装用容器に収納されたこれらの食品類は、そのまま陳列棚に陳列されて販売されている。
【０００３】
この種の包装用容器は、一般に、底面部と、この底面部の外周から立ち上がる周壁と、この周壁の上端から外方へ延びるフランジとを備えてなる容器本体と、天面及びこの天面から下降する側壁と、この側壁の下端から外方へ延びるフランジとを備えてなる蓋体とから構成されており、容器本体と蓋体とが嵌合構造によって開閉自在となるように構成されている。
【０００４】
容器本体及び蓋体に形成されたフランジは、周壁などと連続して形成されることによって容器本体や蓋体の強度を高めうるものであるため、容器の薄肉化によるプラスチック材料の使用量低減に有効であり、また、閉蓋状態においては、容器本体と蓋体のフランジを互いに当接させ合うことによって容器の内外を遮断して密閉状態を高めうるものである。
【０００５】
このような容器として、特許文献１に記載の、「容器本体の底壁の外周から立ち上がる周壁にポッチを設けた容器」が知られている。そして、この容器は、前記ポッチ（突出して形成した部分）により光を乱反射させて豪華さを演出できるとされている。
【先行技術文献】
【特許文献】
【０００６】
【特許文献１】特開２００８−２５４７５５号公報
【発明の概要】
【発明が解決しようとする課題】
【０００７】
しかしながら、このような容器にカット野菜やカットフルーツなどの商品を入れて陳列した際には、これを購入する顧客は商品を上方から視認することが一般的である。したがって、購入するか否かの判断には、商品を入れた容器を上方から見た際に演出される豪華さが重要であり、特許文献１のように容器本体の周壁にポッチを設けてみても、商品を入れた容器を下方から見て購入する顧客は少ないから、豪華さの演出効果をあまり期待できない。むしろ、上方から商品を見た際に、光を乱反射させた豪華さを演出できれば、顧客の購買意欲を促進できるものと考えられる。
【０００８】
さらに、特許文献１に記載の容器では、容器本体の周壁の上端から外方へ延びるフランジ部の形状が単なる平らな形状とされている。このような平らな形状では、容器のコーナー部を掴んだ際には容易に変形してしまう。
【０００９】
一方、蓋の天面や天面から下方へ延びる側壁に、前記のようにポッチを設けると、収納された商品自体がクリアーに見えなくなるため、やはり顧客の購買意欲を促進することが期待できない。
【００１０】
さらに、製造コストを抑制するために、強度を落とさずに容器を軽量化することが求められる。
【００１１】
このような事情に鑑み、本発明は、商品を収納して陳列した際に顧客が上方から視認した場合に、光を乱反射させることにより豪華さを演出できるとともに、容器の強度も向上でき、容器のコーナー部を掴んでも変形を抑制できる包装用容器を提供することを課題とする。また、容器を従来よりも軽量化することを課題とする。
【課題を解決するための手段】
【００１２】
本発明に係る包装用容器は、合成樹脂シートが熱成形されてなる包装用容器であり、収納部を有する容器本体と、これに嵌合されて開閉自在な蓋体とを備えた包装用容器であって、前記容器本体は、底面部と、この底面部の外周から立ち上がる側壁部と、この側壁部の上端から外方へと延びるフランジ部とを備え、前記蓋体は透明であって、天面部と、この天面部の外周から垂下する側壁部と、この側壁部の下端から外方に延びるフランジ部とを備え、前記容器本体のフランジ部における上面部のうち、閉蓋状態で前記蓋体のフランジ部が当接する部分よりも外側の部分には、平面が直線で区画された高低差を有する複数の平面が集合した連続面を備えた凹凸部が設けられ、前記連続面における隣り合う平面のうち、一方側と他方側とが異なる傾斜を有することを特徴とする。
【００１３】
前記の構成によると、上面部に凹凸部が設けられたことにより、連続面で光を乱反射させることができる。また、容器本体のフランジ部の曲げ強度を向上できる。また、凹凸部を構成する平面が直線で区画されてなり、連続面における隣り合う平面のうち、一方側と他方側とが異なる傾斜を有するものとされたことにより、光の乱反射が強調され、フランジ部をより目立たせることができる。
【００１４】
そして本発明に係る包装用容器は、前記容器本体のフランジ部には、前記上面部の外周から垂下する垂下部が設けられ、前記垂下部には、容器の内外方向に出退する複数の平面が集合した連続面を備えた凹凸部が設けられたものとすることが好ましい。
【００１５】
この好ましい構成によると、垂下部でも光を乱反射させることができる。また、容器本体のフランジ部の曲げ強度を、前記構成よりも更に向上できる。
【００１９】
そして本発明に係る包装用容器は、前記容器本体が平面視にて多角形状であり、前記容器本体におけるコーナー部の少なくとも一つに位置するフランジ部に、前記容器本体の外方向に向かい傾斜する傾斜面部が設けられ、前記蓋体は、閉蓋状態で前記傾斜面部に一致する位置に、開蓋する際に摘むことのできる摘み部が設けられたものとすることが好ましい。
【００２０】
この好ましい構成によると、容器本体のフランジ部に傾斜面部が設けられ、蓋体に摘み部が設けられたことにより、開蓋する際に蓋体を容易に持つことができる。
【発明の効果】
【００２１】
本発明の包装用容器は、フランジ部における上面部で光を乱反射させることができ、容器本体のフランジ部の曲げ強度を向上できることから、商品を収納して陳列した際に顧客が上方から視認した場合に、光を乱反射させることによりフラッシュが当たったような豪華さを演出できるとともに、容器の強度も向上でき、容器のコーナー部を掴んでも変形を抑制できる。また、前記の強度向上により、容器を従来よりも軽量化することが可能となる。
【図面の簡単な説明】
【００２２】
【図１】本発明の一実施形態に係る包装用容器を示す平面図である。
【図２】同実施形態に係る包装用容器を示す側面図である。
【図３】同実施形態に係る包装用容器を示す底面図である。
【図４】同実施形態に係る包装用容器の嵌合部付近を拡大した縦端面図である。
【発明を実施するための形態】
【００２３】
本発明の一実施形態に係る包装用容器について図面を参照しながら説明する。なお、以下の位置関係の表現のうち、「上下」とは、図２のように包装用容器を配置した状態における上下方向を指し、「内外」とは、包装用容器の商品が収納される部分を基準とし、包装用容器の周囲に向かう方向を外方向、逆の方向を内方向と定めたものである。
【００２４】
本実施形態の包装用容器（以下、単に「容器」と表記する）は、収納部を有しており、上方に開口部を有する容器本体１と、前記の開口部を開閉自在とした蓋体２とを備えたものである。
【００２５】
容器本体１は、図１〜図３に示すように、コーナー部を円弧状とした略正方形状の底面部１１と、この底面部１１の外周から上向きに立ち上がるように設けられた本体側壁部１２と、この本体側壁部１２の上端から外方へと延びるように設けられた本体フランジ部１４とを一体に形成したものである。そして本実施形態では、本体側壁部１２と本体フランジ部１４との間に、閉蓋の際に用いる嵌合部１３が設けられている。
【００２６】
この容器本体１は、合成樹脂シートから成形され、少なくとも成形後の状態で透明であるか表面に光沢を有するものとされている。より具体的には、合成樹脂シートをオーブンなので加熱して成形可能な状態に軟化させたのち、真空圧空成形、両面真空成形やプラグアシスト成形などの熱成形によって容器本体１を成形する（後述の蓋体２についても同様）。
【００２７】
合成樹脂シートとしては、例えば、ポリスチレン、ポリプロピレン、ポリエチレンテレフタレート、ポリエチレンなどの樹脂、もしくはこれらを２種以上混合した樹脂などから製造したシートであって透明なものが好ましい。また、これらの合成樹脂シートを１軸延伸、もしくは２軸延伸した延伸シートを用いると、容器本体を軽量化できるので特に好ましい。
【００２８】
前記の合成樹脂シートとしては、片面または両面にポリスチレン、ハイインパクトポリスチレン、耐熱ポリスチレン、ポリエチレン、ポリプロピレン、ポリエチレンテレフタレートなどからなる非発泡の樹脂フィルムを積層したものであっても良く、更に、これら非発泡の樹脂フィルムに各種の印刷により模様が施されていても良い。また、リサイクルした樹脂を中間層として、その両面にバージン樹脂を積層してサンドイッチした積層シートも使用できる。
【００２９】
前記成形可能な状態に軟化せしめられた合成樹脂シートは、そののち成形ゾーンに移送され、雌雄金型嵌合によって容器本体１の形状に成形される。なお、前記の雌雄金型嵌合の際、両面から真空成形する方法により、本体フランジ部１４の凹凸部１５，１６（後述）をよりシャープに形成することができる。
【００３０】
図３に示すように、底面部１１には、周囲に接地部１１１が設けられ、接地部１１１に囲まれるようにして底面中央部１１２が設けられている。接地部１１１における底面は略水平面とされており、デパートやスーパーマーケットなどでの陳列時には、陳列棚上面にこの接地部１１１が当接する。底面中央部１１２は、接地部１１１よりもわずかに上方に位置する水平面とされている。容器本体１に収納された商品はこの接地部１１１及び底面中央部１１２にて支持される。前記のように接地部１１１の底面は略水平面とされており、容器本体１には脚部のような突出した部分が設けられていないため、コンベアで容器本体１を搬送させる際にも引っ掛かりが生じにくく、商品収納作業を行うラインにおける容器の搬送をスムーズにできる。
【００３１】
図２及び図３に示すように、底面部１１における四隅に位置する隅凹部１１３では、接地部１１１が切り欠かれたようになっている。隅凹部１１３における底面は接地部１１１よりもわずかに上方に位置しており、本実施形態では、前記の底面中央部１１２と略同じ高さとされている。この隅凹部１１３は略四角形状に切り欠かれており、切欠端面１１３ａと当該切欠端面１１３ａが底面視で略直角に屈曲した部分である角部１１３ｂとを備える。そして、この隅凹部１１３には、底面部１１と本体側壁部１２とにわたって設けられる本体側補強リブ１７の先端部１７ａが位置している。
【００３２】
本体側壁部１２は、図２に示すように、底面部１１の外周から上向きに寸法が拡大するようにテーパ状に傾斜している。本体側壁部１２におけるコーナー部には、底面部１１から連続して本体側補強リブ１７が設けられている。本体側補強リブ１７は、図３に示すように、容器本体１の内方（つまり、商品が配置される空間の方向）に突出した突出部１７１と、突出部１７１の幅方向中央に位置し、突出部１７１よりも更に内方に突出した中リブ１７２とからなっている。このように突出部１７１と中リブ１７２とが二段で突出しているため、底面部１１及び本体側壁部１２におけるコーナー部を有効に補強することができる。この本体側補強リブ１７は、底面部１１に位置する先端部１７ａにおいて幅寸法が縮小されている。
【００３３】
前記のように隅凹部１１３と本体側補強リブ１７とが形成されたことにより、容器を上下方向に積み重ねる際には、前記の角部１１３ｂと本体側補強リブ１７の先端部１７ａとに対し、蓋体２の蓋体側補強リブ２６が当接し、積み重ねた容器同士がずれることを防止できる。詳しくは蓋体側補強リブ２６の説明と共に述べる（後述）。
【００３４】
嵌合部１３は、図４に示すような形状とされており、本体フランジ部１４の内周から垂下する嵌合面部１３１と、嵌合面部１３１の下端に連続した下方支持部１３２とが形成されている。本実施形態ではいわゆる「内嵌合」タイプの嵌合がなされる。つまり、本体フランジ部１４よりも内側において蓋体２の嵌合部２３と嵌合するものとされている。「内嵌合」タイプの嵌合はシール性に優れており、水分の多い商品を収納しても容器外部への液漏れが発生しにくいメリットがある。この嵌合部１３につき、詳しくは蓋体２の嵌合部２３の説明と共に述べる（後述）。
【００３５】
本体フランジ部１４は、本体側壁部１２の上端に嵌合部１３を介して設けられた上面部１４１と、この上面部１４１の外周から垂下する垂下部１４２とを備えている。
【００３６】
ここで、本体フランジ部１４（より詳しくは垂下部１４２）の外周縁側には、極細の多数の凹凸が形成され（図示しない）、補強されるとともに、指などがあたっても、指などを切ることがないようにされている。この凹凸は、側面側から拡大して見たときに波形状とされ、多数の山と谷の方向が各辺において幅方向に短く形成され、コーナー部においては当該コーナー部と中心部とを結ぶ方向（放射方向）に平行に形成されている。
【００３７】
そして、図１及び図３に示すように、本体フランジ部１４の上面部１４１の内側部分１４１ａには、閉蓋状態で蓋体２の蓋体フランジ部２４が当接する。そのため、この内側部分１４１ａの上面は平面とされている。そして、上面部１４１の外側部分１４１ｂのうち、容器本体１のコーナー部１ａを除いた部分には、高低差を有する複数の平面１５１…１５１が集合した連続面１５ａを備えた凹凸部１５が設けられている。また、垂下部１４２には、前記上面部１４１に設けられた凹凸部１５に隣り合うように、容器の内外方向に出退する複数の平面１６１…１６１が集合した連続面１６ａを備えた凹凸部１６が設けられている。
【００３８】
前記の各凹凸部１５，１６は、当該凹凸部１５，１６を構成する平面１５１，１６１が直線で区画されている。言い換えると、平面１５１，１６１の稜線が直線とされている。そして、連続面１５ａ，１６ａは、隣り合う平面（１５１，１５１／１６１，１６１）の一方側と他方側とが異なる傾斜を有する、つまり、各平面１５１，１６１の上面部１４１または垂下部１４２に対する角度が異なるように形成されている。
【００３９】
上面部１４１に設けられた凹凸部１５については、図１に示すように、この凹凸部１５の連続面１５ａにおける一つ一つの平面１５１が、当該平面１５１に直交する方向から見て台形形状とされており、その台形形状の上底辺同士、下底辺同士を共有するようにして複数の平面１５１…１５１が連続して配置されている。平面１５１…１５１の平面視（容器に対する）にて連続する方向は、本体フランジ部１４の上面部１４１の長手方向に沿うものとされている。そして連続面１５ａは、図２に示すように、傾斜方向が交互に切り替わるようにして、上り勾配（上傾斜）の平面１５１と下り勾配（下傾斜）の平面１５１とが連続するもので、側面視（容器に対する）ではＶ字が連続した「のこぎり状」とされている。
【００４０】
なお、本実施形態の凹凸部１５は、一つ一つの平面１５１が同一の形状とされているが、異なる形状の平面１５１を配置しても良い。また、前記のような「のこぎり状」に限られず、例えば、上り勾配の平面１５１と下り勾配の平面１５１との間に、水平面である平面１５１を配置し、側面視（容器に対する）で台形が連続するようにされていても良い。また、水平面と垂直面とが交互に連続するようにされていても良い。なお、平面１５１の概念には、上面部１４１から高さ方向に突出していない状態の平面も含んでいる。
【００４１】
一方、垂下部１４２に設けられた凹凸部１６については、図２に示すように、この凹凸部１６の連続面１６ａにおける一つ一つの平面１６１が、当該平面１６１に直交する方向から見て三角形形状とされており、その三角形形状が四つ連なって構成された略菱形形状の単位が水平方向に連続して配置されている。つまり、前記略菱形形状の単位が連続する方向は、本体フランジ部１４の垂下部１４２の長手方向に沿うものとされている。前記略菱形形状は、上側に位置する二つの三角形形状のそれぞれ上側辺が凹凸部１５における平面１５１の辺と共有するものとされている。また、前記略菱形形状は、図４に示すように、中央において外方向に突出している（張り出している）。つまり、一つ一つの平面１６１（三角形形状）は、前記略菱形形状の中央に向かい外方向に傾くような勾配となっている。この連続面１６ａも、上面部１４１の連続面１５ａと同様、傾斜方向が交互に切り替わるようにして、外方へ向かう勾配（外傾斜）の平面１６１と内方へ向かう勾配（内傾斜）の平面１６１とが連続する。そして、前記略菱形形状の単位は容器本体１のコーナー部１ａにも設けられるが、コーナー部１ａの曲面に合わせて、上下寸法が異なる形状とされている。
【００４２】
なお、上面部１４１の凹凸部１５と同様、本実施形態の凹凸部１６についても、一つ一つの平面１６１が同一の形状とされているが、異なる形状の平面１６１を配置しても良い。また、平面１６１を連ねた形状は、前記のような略菱形形状に限られず、例えば、略菱形形状の中央に当たる位置に、垂下部１４２と平行な平面１６１を配置しても良い。なお、平面１６１の概念には、垂下部１４２から外方向に突出していない状態の平面も含んでいる。
【００４３】
前記のように上面部１４１と垂下部１４２とに設けられた凹凸部１５，１６により、美観面の効果が発揮される。つまり、容器本体１が、少なくとも成形後の状態で透明であるか表面に光沢を有するものであることから、各平面１５１…１５１，１６１…１６１にて容器外部からの光が反射する。上面部１４１の平面１５１…１５１は高低差を有して連続し、また、垂下部１４２の平面１６１…１６１は容器の内外方向に出退して連続しているため、前記光の反射は乱反射となり得る。
【００４４】
より詳しく述べると、平面１５１，１６１と顧客の目との位置関係により、ある傾斜を有する平面１５１，１６１に反射した光は顧客の目に入りやすく、他の傾斜を有する平面１５１，１６１に反射した光は顧客の目に入りにくくなる。そのため、顧客には、前者の平面１５１，１６１が強く光るように見え、後者の平面１５１，１６１が光らないか、あるいは、弱く光るように見える。前記反射光の強さは、顧客が容器本体１を見る角度、及び、平面１５１，１６１と外光との位置関係によって変わり得る。
【００４５】
前記により、顧客などが容器を上方から見た際に、フランジ部１４が輝いて豪華に見える「フラッシュ効果」を発揮し得る。そのため、商品を収納して陳列された容器を非常に目立たせることができ、デパートやスーパーマーケットを訪れた顧客に強い印象を与えることができる。よって、顧客の購買意欲を促進させることができる。
【００４６】
そして、本実施形態では、上面部１４１と垂下部１４２の両方に凹凸部１５，１６が設けられているため、各々の凹凸部１５，１６による光の乱反射が複合し、前記「フラッシュ効果」がより一層大きくなることが期待できる。また、平面１５１，１６１が直線で区画されたことにより、光が反射した面の外縁がくっきりし、前記光の乱反射が強調され得る。
【００４７】
また、前記の「フラッシュ効果」により、容器本体１が豪華に見えるため、顧客が食卓にそのまま商品の収納された容器本体１を置いても良好に使用できる。
【００４８】
前記美観面に加え、凹凸部１５，１６により強度面の効果も発揮される。凹凸部１５，１６が設けられた本体フランジ部１４は、凹凸部１５，１６の無いものに比べて、長手方向における曲げ強度が向上する。そのため、顧客が商品の収納された容器のコーナー部分などを片持ちした場合であっても、商品の荷重によって容器が大きく変形してしまうことを抑制できる。そして、前記のように強度が向上するため、従来よりも肉厚が小さい材料で従来と同等強度の容器を形成することができる。そのため、凹凸部１５，１６の形成により容器の軽量化及び製造コスト抑制に貢献できる。
【００４９】
なお、本実施形態では、上面部１４１の凹凸部１５における平面１５１の形状が台形とされており、垂下部１４２の凹凸部１６における平面１６１の形状が三角形とされているが、平面１５１，１６１とも、直線で区画された平面であれば種々の形状とすることができる。つまり、平面１５１，１６１を種々の多角形とすることができる。また、凹凸部１５，１６を構成する平面１５１，１６１は、全て同一形状とする必要はなく、異なる形状の平面であっても良い。
【００５０】
また、本実施形態の平面１５１，１６１は直線で区画されているが、垂下部１４２の凹凸部１６における平面１６１は曲線で区画されていても良い（例えば、円形、楕円形、長円形、樽形）。
【００５１】
また、本実施形態では、凹凸部１５，１６を上面部１４１と垂下部１４２の両方に設けたが、垂下部１４２には凹凸部１６を設けず、上面部１４１にのみ凹凸部１５を設けた場合であっても、顧客などが容器を上方から見た際の「フラッシュ効果」が期待できる。
【００５２】
次に、図１及び図２に示すように、容器本体１のコーナー部１ａに位置するフランジ部１４、より具体的には上面部１４１の外側部分１４１ｂには傾斜面部１８が設けられている。この傾斜面部１８は、容器本体１の外方向（より詳しくは、容器本体１の平面視中央からコーナー部１ａを通る仮想の直線に沿う外方向）に向けて上り勾配で傾斜する平面を有している。
【００５３】
図示のような閉蓋状態において、この傾斜面部１８の上方には蓋体２の摘み部２５が重なるように位置するが、傾斜面部１８が前記のように傾斜する平面を有するため、摘み部２５を容器本体１の外方向に向けて跳ね上げるようにできる。そのため、開蓋する際に摘み部２５を容易に摘むことができる。
【００５４】
なお、本実施形態の傾斜面部１８は、容器本体１のコーナー部１ａの全て（４箇所）に設けられているが、前記のように開蓋する際に用いるためには、コーナー部１ａの少なくとも一つに設けられていれば良い。
【００５５】
次に、蓋体２は、図１及び図２に示すように、コーナー部を円弧状にした略正方形状の天面部２１と、この天面部２１の外周から垂下するように設けられた蓋体側壁部２２と、この下端から外方へと延びるように設けられた蓋体フランジ部２４とを一体に形成したものである。そして本実施形態では、蓋体側壁部２２と蓋体フランジ部２４との間に、閉蓋の際に用いる嵌合部２３が設けられている。
【００５６】
この蓋体２は、合成樹脂シートから成形され、少なくとも成形後の状態で透明とされている。本実施形態では、容器本体１と同一の合成樹脂シートが用いられている。成形方法は前記容器本体１に関して説明したものと同様である。
【００５７】
天面部２１及び蓋体側壁部２２は平面とされており、前記各部の間は曲面とされている。このように、天面部２１及び蓋体側壁部２２に、特許文献１に記載されたポッチのような、余計な凹凸や屈曲部が存在しないため視認性が良好となり、特に、容器を上方から見た際に、収納された商品がクリアーに見える。そのため、顧客の購買意欲を促進することが期待できる。
【００５８】
そして、天面部２１及び蓋体側壁部２２には凹凸が存在しないため、価格などを表示するラベル（サーマルシールなど）を貼付することも容易である。また、天面部２１と蓋体側壁部２２との間が曲面とされているため、天面部２１が指などで押されて一時的に変形しても元の形状にもどりやすく、復元性に優れた蓋体２とできる。
【００５９】
また、蓋体側壁部２２から天面部２１にわたって蓋体側補強リブ２６が設けられている。蓋体側補強リブ２６は、前記の本体側補強リブ１７と関連した形状とされており、蓋体２の外方に突出した突出部２６１と、突出部２６１の幅方向中央に位置し、突出部２６１より内方に突出した中リブ２６２とからなっている。本体側補強リブ１７と同様、突出部２６１と中リブ２６２とで構成されているため、蓋体側壁部２２及び天面部２１におけるコーナー部を有効に補強できる。この蓋体側補強リブ２６は、天面部２１に位置する先端部２６ａにおいて幅寸法が縮小されている。
【００６０】
閉蓋状態の容器を上下方向に積み重ねる際には、蓋体側補強リブ２６と容器本体１の本体側補強リブ１７とが嵌まり合う。より具体的には、蓋体側補強リブ２６の先端部２６ａと本体側補強リブ１７の先端部１７ａとが上下方向に当接する。そして、蓋体側補強リブ２６の先端部２６ａの突端２６ａ１と、容器本体１における隅凹部１１３の角部１１３ｂとが略水平方向で当接する。このため、蓋体側補強リブ２６は本体側補強リブ１７と隅凹部１１３（より詳しくは切欠端面１１３ａ及び角部１１３ｂ）とで位置決めされることになり、容器を上下方向に積み重ねてもずれにくいようにでき、容易に積み重ねた状態の陳列をすることができる。また、容器を傾斜した状態で陳列してもずれにくい。
【００６１】
嵌合部２３は、図４に示すような形状とされており、蓋体フランジ部２４の内周から垂下する嵌合面部２３１と、嵌合面部２３１の下端に連続し、内方へと略水平に延びる下方支持部２３２とが形成されている。
【００６２】
この嵌合部２３は、閉蓋状態とする際に容器本体１における嵌合部１３に嵌合されることで、容器本体１の開口部を閉鎖するものである。具体的には、図４に示すように、蓋体２における嵌合部２３の外側面と、容器本体１における嵌合部１３の内側面とが当接して閉蓋状態となる。この際、蓋体２における下方支持部２３２の下面の一部と、容器本体１における下方支持部１３２の上面も当接する。
【００６３】
図４に示すように、蓋体２における下方支持部２３２の幅寸法に比べて、容器本体１における下方支持部１３２の幅寸法は小さい。そのため、蓋体２と容器本体１との間に商品が存在していても、閉蓋する際に下方に移動する嵌合部２３に商品が押され、蓋体２における下方支持部２３２と容器本体１における下方支持部１３２との間の空間に商品を追いやることができる。そのため、蓋体２と容器本体１との間に商品が噛み込み、商品価値を下げてしまうことを抑制できる。
【００６４】
蓋体フランジ部２４は、蓋体側壁部２２の下端に嵌合部２３を介して設けられている。この蓋体フランジ部２４の外周縁側には、極細の多数の凹凸が形成され（図示しない）、補強されるとともに、指などがあたっても、指などを切ることがないようにされている。この凹凸は、側面側から拡大して見たときに波形状とされ、多数の山と谷の方向が各辺において幅方向に短く形成され、コーナー部においては当該コーナー部と中心部とを結ぶ方向（放射方向）に平行に形成されている。
【００６５】
そして蓋体フランジ部２４には、閉蓋状態で容器本体１の傾斜面部１８に一致する位置に、開蓋状態とする際に摘むことのできる摘み部２５が設けられている。この摘み部２５は、図１に示すように、蓋体２の四隅が外方に延長された舌状の部分である。そして、図２に示すように、容器本体１の傾斜面部１８の勾配に略一致するように、外方に向かって上方に跳ね上がった形状とされている。なお、前記外方への延長は、閉蓋状態で摘み部２５が容器からはみ出し、隣り合う容器と干渉しない程度としておく必要がある。
【００６６】
この摘み部２５には、下方に突出した半球形のポッチ２５１が設けられており、閉蓋状態では、このポッチ２５１が容器本体１の傾斜面部１８に当接し、これにより、図２に示すように、摘み部２５が傾斜面部１８から浮き上がるようにできる。このように構成された摘み部２５と、容器本体１の傾斜面部１８とにより、摘み部２５を摘んで開蓋することが容易にできる。
【００６７】
なお、本実施形態の傾斜面部１８は、蓋体２の四隅全てに設けられているが、前記のように開蓋する際に用いるためには、少なくとも一隅に設けられていれば良い。
【００６８】
以上、本発明の一実施形態について説明してきたが、本発明に係る包装容器は、前記で説明した実施形態に限定されるものではなく、本発明の要旨を逸脱しない範囲内において種々の変更を加えることができる。
【００６９】
例えば、容器本体１及び蓋体２の平面視における形状は四角形状に限定されず、円形、楕円形、三角形、五角形などの多角形であっても良い。
【００７０】
また、扁平な容器に限定されず、筒状など、水平方向寸法よりも上下方向寸法の方が大きな容器であっても良い。
【符号の説明】
【００７１】
１          容器本体
１１        底面部
１２        （本体）側壁部
１４        （本体）フランジ部
１４１      上面部
１４２      垂下部
１５        凹凸部（上面部）
１６        凹凸部（垂下部）
１８        傾斜面部
１ａ        コーナー部
２          蓋体
２１        天面部
２２        （蓋体）側壁部
２４        （蓋体）フランジ部
２５        摘み部
【図１】
0005562270.tif 000002
【図２】
0005562270.tif 000003
【図３】
0005562270.tif 000004
【図４】
0005562270.tif 000005